(57)【要約】【課題】簡便な構造であって、電源コードが掃除機本体の電源コード引出口に引き込まれることを防止可能な電気掃除機を提案する。【解決手段】電気掃除機１の掃除機本体２は、電源コード引出口１７を有する本体ケース２５と、本体ケース２５の内部に設けられたコードリール基部２６と、コードリール基部２６に回動自在に軸支されたコードリール２７と、コードリール２７に巻回された電源コード１５と、電源コード引出口１７に設けられた電源プラグ引込抑制部１８とを備える。電源プラグ引込抑制部１８は、本体ケース２５の電源コード引出口１７の開口形状を狭めて、電源コード１５の電源プラグ１６が本体ケース２５の内部に引き込まれるのを抑制する。電源プラグ引込抑制部１８は、本体ケース２５の保持部２５ａに嵌め込まれて保持され、さらに、開放端部１８ａがコードリール基部２６の押止部３１ａに押し止められて固定される。【選択図】  図３
2010104644.tif 000002
【特許請求の範囲】
【請求項１】
電源コード引出口を有する掃除機本体と、
前記掃除機本体の内部に設けられたコードリール基部と、
前記コードリール基部に回動自在に軸支され、一方向に付勢されたコードリールと、
前記コードリールに巻回され、自由端部にプラグを有する電源コードと、
前記電源コード引出口に設けられ、前記コードリール基部で押し止められた前記プラグの引込抑止部とを備えたことを特徴とする電気掃除機。
【請求項２】
前記引込抑止部は、コ字形状に形成された枠体であり、
前記掃除機本体は、前記枠体が保持された保持部を有し、
前記コードリール基部は、前記枠体の開放端部が押し止められた押止部を有することを特徴とする請求項１に記載の電気掃除機。
【請求項３】
前記引込抑止部は、前記枠体の辺部に回転部材が設けられたことを特徴とする請求項２に記載の電気掃除機。
【発明の詳細な説明】
【技術分野】
【０００１】
本発明は、電源コードが巻回されたコードリールを有する掃除機本体を備えた電気掃除機に関する。
【背景技術】
【０００２】
電気掃除機は、電力で駆動される電動送風機と、電動送風機に供給される電力を導く電源コードを備える。
【０００３】
一般に、電源コードは、掃除機本体に収容されたコードリールに巻回され、掃除機本体から引き出し、または掃除機本体に引き込むことができる。掃除機本体は、電源コードが挿通された電源コード引出口を有する。
【０００４】
従来の電気掃除機は、電源コードの全体が掃除機本体内に引き込まれないように、掃除機本体の電源コード引出口にコード口カバーが設けられている。（例えば、特許文献１参照）。
【特許文献１】特開２００５−１３７４８３号公報
【発明の開示】
【発明が解決しようとする課題】
【０００５】
従来の電気掃除機では、電源コードの全体が掃除機本体内に引き込まれないように、掃除機本体の電源コード引出口にコード口カバーが設けられるが、掃除機本体にコード口カバーを固定する構造が複雑であった。
【０００６】
本発明は、簡便な構造であって、電源コードが掃除機本体の電源コード引出口に引き込まれることを防止可能な電気掃除機を提案する。
【課題を解決するための手段】
【０００７】
前記の課題を解決するため本発明では、電源コード引出口を有する掃除機本体と、前記掃除機本体の内部に設けられたコードリール基部と、前記コードリール基部に回動自在に軸支され、一方向に付勢されたコードリールと、前記コードリールに巻回され、自由端部にプラグを有する電源コードと、前記電源コード引出口に設けられ、前記コードリール基部で押し止められた前記プラグの引込抑止部とを備えたことを特徴とする。
【発明の効果】
【０００８】
本発明によれば、簡便な構造であって、電源コードが掃除機本体の電源コード引出口に引き込まれることを防止可能な電気掃除機を提案できる。
【発明を実施するための最良の形態】
【０００９】
本発明に係る電気掃除機の実施形態について図１から図４を参照して説明する。
【００１０】
図１は、本発明に係る電気掃除機の前方の外観を示した斜視図である。
【００１１】
図２は、本発明に係る電気掃除機の後方の外観を示した斜視図である。
【００１２】
図１および図２に示すように、本実施形態に係る電気掃除機１は、縦型、いわゆるアップライト型の電気掃除機である。電気掃除機１は、掃除機本体２と、吸込口体３と、集塵ホース４と、手元操作管５と、把持部６と、延長管７とを備える。
【００１３】
掃除機本体２は、長手状に形成される。掃除機本体２の一方の端部には、吸込口体３が設けられ、他方の端部には、集塵ホース４と、手元操作管５と、把持部６と、延長管７とが設けられる。掃除機本体２の他方の端部には、操作部９と、電気掃除機１の運搬に用いられる把手部１０とが設けられる。把手部１０は、円弧状に形成される。
【００１４】
掃除機本体２の長手方向の略中央部には、塵埃分離集塵部１１が着脱自在に設けられる。掃除機本体２の内部には、電動送風機１２が収容される。電動送風機１２は、掃除機本体２の一方の端部に偏倚させて配置される。掃除機本体２は、電動送風機１２の排気側に連通された本体排気口１３を有する。
【００１５】
掃除機本体２は、制御部（図示省略）や、電動送風機１２に電力を導く電源コード１５を備える。電源コード１５の自由端部には、電源プラグ１６が形成される。掃除機本体２は、電源コード１５が挿通された電源コード引出口１７と、電源コード引出口１７に設けられた略コ字状の電源プラグ引込抑制部１８と、電源コード１５の巻取操作ボタン１９とを有する。
【００１６】
操作部９は、電気掃除機１の運転状態を選択的に切り替える。具体的には、操作部９は、電気掃除機１の運転を停止させる運転停止ポジションと、電気掃除機１の運転を開始させる運転開始ポジションとの間で切替ができる。
【００１７】
電動送風機１２の吸気側は、塵埃分離集塵部１１に連通される。電動送風機１２が作動すると、塵埃分離集塵部１１の内部には負圧が作用する。
【００１８】
塵埃分離集塵部１１は、例えば、慣性分離方式を用いたものである。塵埃分離集塵部１１は、含塵空気から塵埃を分離し、捕集する。塵埃分離集塵部１１の排気側は、電動送風機１２の吸気側に連通され、電動送風機１２の作動によって塵埃分離集塵部１１の内部には負圧が作用する。他方、塵埃分離集塵部１１の吸気側は、掃除機本体２の内部に設けられた第１の吸塵管（図示省略）を介して、吸込口体３に連通される。また、塵埃分離集塵部１１の吸気側は、第１の吸塵管から分岐させて形成された第２の吸塵管を介して集塵ホース４に連通される。
【００１９】
吸込口体３は、掃除機本体２の一方の端部に着脱自在に接続される。また、吸込口体３は、床面などの被掃除面から塵埃が吸い込まれる吸込口（図示省略）を有する。さらに、吸込口体３は、掃除機本体２内部の第１の吸塵管を介して、塵埃分離集塵部１１に連通される。
【００２０】
また、吸込口体３は、ケース体２０と、連通管２１とを備える。ケース体２０は、幅広に形成される。また、ケース体２０は、床面などの被掃除面に対向させて配置される面に吸込口（図示省略）を有する。ケース体２０の一方の長辺の中央部には、連通管２１が回動自在に設けられる。ケース体２０は、中空に形成され、吸込口と、連通管２１とが連通される。連通管２１の一方の端部は、掃除機本体２の一方の端部に着脱自在に設けられる。連通管２１の両側部には、従動輪２２が回動自在に設けられる。電気掃除機１は、従動輪２２によって被掃除面上を軽快に走行できる。
【００２１】
電気掃除機１は、吸込口体３を被掃除面としての床面に設置し、長手状の掃除機本体２を鉛直方向に沿わせて配置させると、床面に直立した状態を維持できる。
【００２２】
集塵ホース４は可撓性を有し、湾曲可能な細長略円筒状に形成される。集塵ホース４の一方の端部は、掃除機本体２の他方の端部に接続される。集塵ホース４は、掃除機本体２内部の第２の吸塵管を介して、塵埃分離集塵部１１に連通される。
【００２３】
手元操作管５の一方の端部は、集塵ホース４の他方の端部に設けられる。手元操作管５は、集塵ホース４を介して掃除機本体２の内部に連通される。
【００２４】
把持部６は、電気掃除機１の使用者が把持して電気掃除機１を操作するものである。把持部６は、手元操作管５の他方の端部から、集塵ホース４が設けられた手元操作管５の一方の端部に向かって、湾曲させて突設される。
【００２５】
延長管７は、伸縮可能な細長略円筒状に形成される。延長管７の一方の端部は、手元操作管５の他方の端部に着脱自在に接続される。他方、延長管７の他方の端部は、掃除機本体２に形成された延長管固定部（図示省略）に挿入されて挿抜自在に固定される。延長管７は、手元操作管５および集塵ホース４を介して掃除機本体２の内部に連通される。
【００２６】
電気掃除機１を運転すると、電動送風機１２が作動して、塵埃分離集塵部１１に負圧が作用する。この負圧は第１の吸塵管を経て吸込口体３に作用する。そうすると、電気掃除機１は、吸込口体３から空気とともに床などの被掃除面に溜まった塵埃を吸い込んで被掃除面を掃除する。吸込口体３に吸い込まれた含塵空気は、掃除機本体２に収容された塵埃分離集塵部１１によって空気と塵埃とに分離される。分離された塵埃は塵埃分離集塵部１１に集塵される。他方、分離された空気は、電動送風機１２に吸い込まれて、掃除機本体２の本体排気口１３から吐出される。
【００２７】
また、吸込口体３が入り込めないような狭隘な場所では、延長管７の他方の端部を掃除機本体２の延長管固定部から抜き出す。そうすると、塵埃分離集塵部１１に作用する負圧は、掃除機本体２内の第２の吸塵管から集塵ホース４と手元操作管５とを経て延長管７に作用する。電気掃除機１は、延長管７の他方の端部（自由端部）の先端部から空気とともに床などの被掃除面に溜まった塵埃を吸い込んで被掃除面を掃除する。
【００２８】
図３は、本発明に係る電気掃除機の掃除機本体の部分的な断面図である。
【００２９】
図３に示すように、電気掃除機１の掃除機本体２は、電源コード引出口１７を有する本体ケース２５と、本体ケース２５の内部に設けられたコードリール基部２６と、コードリール基部２６に回動自在に軸支されたコードリール２７と、コードリール２７に巻回された電源コード１５と、電源コード引出口１７に設けられた電源プラグ引込抑制部１８とを備える。
【００３０】
本体ケース２５は、ＡＢＳなどの合成樹脂を用いて形成される。本体ケース２５は、電源コード１５の電源プラグ１６を本体ケース２５の内部から外部に導出可能な開口形状の電源コード引出口１７を有する。
【００３１】
コードリール基部２６は、コードリール２７が回動自在に軸支された巻取軸３０と、巻取軸３０の一方の端部に設けられた第１の基部プレート３１と、巻取軸３０の他方の端部に設けられた第２の基部プレート３２とから構成される。すなわち、第１の基部プレート３１と、第２の基部プレート３２とは、略円筒状のコードリール２７のそれぞれの底面に配置される。また、第１の基部プレート３１と、第２の基部プレート３２との間には、縦通部材３３が設けられる。縦通部材３３は、コードリール基部２６の剛性を確保するとともに、コードリール２７に電源コード１５を巻き取る際の電源コード１５のばたつきを抑制する。第１の基部プレート３１は、電源コード１５が電気的に接続された環状の接点（図示省略）を有する。
【００３２】
コードリール２７は、略円筒状に設けられ、その外周面に電源コード１５が巻回される。また、コードリール２７は、コードリール基部２６の巻取軸３０に回転自在に軸支されるとともに、ぜんまいばね（図示省略）によって回動方向のいずれか一方向に付勢される。そして、コードリール２７は、掃除機本体２に設けられた巻取操作ボタン１９を操作すると、ぜんまいばねの付勢によって回転し、電源コード１５を巻き取って掃除機本体２内に収容する。
【００３３】
なお、コードリール基部２６と、コードリール２７と、電源コード１５とからコードリール組立３５が構成される。
【００３４】
電源プラグ引込抑制部１８は、本体ケース２５の電源コード引出口１７の開口形状を狭めて、電源コード１５の電源プラグ１６が本体ケース２５の内部に引き込まれるのを抑制するとともに、電源コード１５の被覆された電線部１５ａが電源コード引出口１７の開口縁部に擦れないよう保護する。電源プラグ引込抑制部１８は、略コ字状に形成された枠体である。電源プラグ引込抑制部１８は、本体ケース２５よりも対摩耗性の高い材料、例えば、金属棒や、耐熱性樹脂材料などの材料で形成される。また、電源プラグ引込抑制部１８は、電源コード引出口１７の周縁部に沿って滑らかな円弧状に形成される。
【００３５】
本体ケース２５の内側には、電源コード引出口１７の周縁部に配置され、電源プラグ引込抑制部１８が嵌め込まれた保持部２５ａが形成される。保持部２５ａは、コ字状の電源プラグ引込抑制部１８の２カ所の角部に対応させて設けられるとともに、第１の基部プレート３１から遠方に位置された電源コード引出口１７の角部に配置される。保持部２５ａに嵌め込まれた電源プラグ引込抑制部１８の開放端部１８ａは、コードリール基部２６の第１の基部プレート３１側に配置される。第１の基部プレート３１には、電源プラグ引込抑制部１８の開放端部１８ａに対応させて押止部３１ａが形成される。
【００３６】
電源プラグ引込抑制部１８は、本体ケース２５の保持部２５ａに嵌め込まれて保持され、さらに、開放端部１８ａが第１の基部プレート３１の押止部３１ａに押し止められて固定される。
【００３７】
このように構成された電気掃除機１では、掃除機本体２の組立において、先ず、本体ケース２５と、コードリール基部２６に回動自在に保持されたコードリール２７とを準備する。コードリール２７には、電源コード１５を巻回する。
【００３８】
次いで、電源コード１５の電源プラグ１６を、本体ケース２５の内側から電源コード引出口１７を通して本体ケース２５の外側に配置する。
【００３９】
次いで、本体ケース２５の保持部２５ａに、電源プラグ引込抑制部１８を嵌め込む。
【００４０】
次いで、コードリール基部２６とともにコードリール２７を本体ケース２５の所定の位置に配置する。そうすると、電源プラグ引込抑制部１８の開放端部１８ａは、第１の基部プレート３１の押止部３１ａに押し止められる。
【００４１】
次いで、コードリール基部２６を本体ケース２５にネジなどの締結部材を用いて固定する。
【００４２】
したがって、本実施形態に係る電気掃除機１では、電源コード引出口１７から本体ケース２５内に電源プラグ１６が引き込まれることのない掃除機本体２を非常に容易に組み立てることができる。
【００４３】
図４は、本発明に係る電気掃除機の掃除機本体の他の例の部分的な断面図である。
【００４４】
図４に示すように、掃除機本体２の電源プラグ引込抑制部１８Ａは、コ字状に形成された中心軸となる線材３７と、線材の各辺に回動自在に挿入されたスリーブ形状の回転部材３８とから構成される。
【００４５】
次に、本実施形態に係る電気掃除機１の掃除動作を説明する。
【００４６】
先ず、電気掃除機１の使用者は、電気掃除機１を被掃除面の存する掃除場所に準備する。
【００４７】
次に、電気掃除機１の使用者は、電源コード１５の電源プラグ１６近傍を把持して、電源コード１５を掃除機本体２から引き出す。
【００４８】
このとき、電源コード１５の電線部１５ａは、電源プラグ引込抑制部１８に擦れることがあるが、電源プラグ引込抑制部１８は、電源コード引出口１７の周縁部に沿って滑らかな円弧状に形成されているので、電線部１５ａの被覆が損傷することがない。
【００４９】
次に、電気掃除機１の使用者は、掃除機本体２から引き出した電源コード１５の電源プラグ１６を商用電源を供給するコンセント（図示省略）に接続する。
【００５０】
次に、手元操作管５を把持し、掃除機本体２の操作部９を運転停止ポジションから運転開始ポジションに切り替える。そうすると、電動送風機１２は運転を開始する。電動送風機１２が運転を開始すると、掃除機本体２に収容された塵埃分離集塵部１１に負圧が作用する。塵埃分離集塵部１１に作用した負圧は、第１の吸塵管を経て吸込口体３に作用する。
【００５１】
次いで、使用者は手元操作管５を把持して床面などの略水平な被掃除面上で電気掃除機１を前後に走行する。そうすると、被掃除面上に存する塵埃は空気とともに吸込口体３に吸い込まれる。
【００５２】
吸込口体３に吸い込まれた含塵空気は、第１の吸塵管を経て塵埃分離集塵部１１に案内される。
【００５３】
塵埃分離集塵部１１に案内された含塵空気は、塵埃分離集塵部１１によって塵埃と、空気とに分離される。含塵空気から分離された塵埃は、塵埃分離集塵部１１に集塵され、塵埃が分離された空気は、電動送風機１２に吸い込まれて、本体排気口１３から掃除機本体２の外部に排気される。
【００５４】
一方、天井面や壁面などの被掃除面を掃除するときは、電気掃除機１の使用者は、掃除機本体２から延長管７を取り外し、延長管７の自由端部を被掃除面に向ける。このとき、塵埃分離集塵部１１に作用した負圧は、第２の吸塵管を経て集塵ホース４と、手元操作管５とを経て延長管７に作用する。
【００５５】
次いで、使用者は手元操作管５を把持して被掃除面に向けて延長管７を移動する。そうすると、被掃除面上に存する塵埃は空気とともに手元操作管５の先端に吸い込まれる。
【００５６】
手元操作管５に吸い込まれた含塵空気は、手元操作管５と、集塵ホース４と、第２の吸塵管とを経て塵埃分離集塵部１１に案内される。
【００５７】
塵埃分離集塵部１１に案内された含塵空気は、塵埃分離集塵部１１によって塵埃と、空気とに分離される。含塵空気から分離された塵埃は、塵埃分離集塵部１１に集塵され、塵埃が分離された空気は、電動送風機１２に吸い込まれて、本体排気口１３から掃除機本体２の外部に排気される。
【００５８】
次いで、電気掃除機１の使用者は、掃除が終了すると掃除機本体２の操作部９を運転開始ポジションから運転停止ポジションに切り替え、電源プラグ１６をコンセントから抜いて電気掃除機１を片付ける。このとき、電気掃除機１の使用者が、掃除機本体２の巻取操作ボタン１９を操作すると、ぜんまいばねで付勢されたコードリール２７が回転し、電源コード１５がコードリール２７に巻回される。電源コード１５をコードリール２７に巻回する際にも、電源プラグ引込抑制部１８は、電源コード引出口１７の周縁部に沿って滑らかな円弧状に形成されているので、電線部１５ａの被覆が損傷することがない。
【００５９】
また、電源コード１５が略全長に亘ってコードリール２７に巻回されると、電源コード１５の自由端部に設けられた電源プラグ１６は、電源プラグ引込抑制部１８によって移動が規制される。これによって、電源コード１５の巻き取りが完了する。
【００６０】
本実施形態に係る電気掃除機１によれば、電源プラグ引込抑制部１８を、本体ケース２５と、コードリール組立３５とによって、余分な部材を用いることなく確実に固定できる。
【００６１】
また、本実施形態に係る電気掃除機１によれば、掃除機本体２の本体ケース２５に、電源コード１５の電源プラグ１６を容易に挿通可能な開口形状を有する電源コード引出口１７を有するので、本体ケース２５にコードリール組立３５を組み込む工程を容易なものとできる。また、本体ケース２５にコードリール組立３５を組み込んだ後は、電源プラグ１６が本体ケース２５内に容易に入り込まない構造にできる。
【００６２】
さらに、本実施形態に係る電気掃除機１によれば、電源プラグ引込抑制部１８を本体ケース２５とコードリール組立３５を用いて堅固に保持できるので、電源コード１５や電源プラグ１６によって電源プラグ引込抑制部１８が変形することはない。
【００６３】
さらにまた、本実施形態に係る電気掃除機１によれば、電源コード１５を掃除機本体２から引き出す際に、電源コード１５と電源コード引出口１７の縁部との磨耗を抑制できる。
【００６４】
また、本実施形態に係る電気掃除機１によれば、電源コード引出口１７の縁部に回転部材３８を回転自在に設けることで、電源コード１５の引き出しおよび巻き取りの際に、電源コード引出口１７の縁部と電源コード１５との摩擦を低減し、電源コード１５の磨耗を、より確実に抑制できる。
【００６５】
したがって、本実施形態に係る電気掃除機１によれば、簡便な構造によって、電源コード１５が掃除機本体２の電源コード引出口１７に引き込まれることを防止できる。
【００６６】
なお、本発明に係る電気掃除機１は、アップライト型の電気掃除機１に限らず、キャニスタ型、スティック型、あるいはハンディ型などの電気掃除機１であってもよい。
【図面の簡単な説明】
【００６７】
【図１】本発明に係る電気掃除機の前方の外観を示した斜視図。
【図２】本発明に係る電気掃除機の後方の外観を示した斜視図。
【図３】本発明に係る電気掃除機の掃除機本体の部分的な断面図。
【図４】本発明に係る電気掃除機の掃除機本体の他の例の部分的な断面図。
【符号の説明】
【００６８】
１  電気掃除機
２  掃除機本体
３  吸込口体
４  集塵ホース
５  手元操作管
６  把持部
７  延長管
９  操作部
１０  把手部
１１  塵埃分離集塵部
１２  電動送風機
１３  本体排気口
１５  電源コード
１５ａ  電線部
１６  電源プラグ
１７  電源コード引出口
１８、１８Ａ  電源プラグ引込抑制部
１８ａ  開放端部
１９  巻取操作ボタン
２０  ケース体
２１  連通管
２２  従動輪
２５  本体ケース
２５ａ  保持部
２６  コードリール基部
２７  コードリール
３０  巻取軸
３１  第１の基部プレート
３１ａ  押止部
３２  第２の基部プレート
３３  縦通部材
３５  コードリール組立
３７  線材
３８  回転部材
【図１】
2010104644.tif 000003
【図２】
2010104644.tif 000004
【図３】
2010104644.tif 000005
【図４】
2010104644.tif 000006